(57)【要約】  本発明は、ＳＲＢ（シグナリング無線ベアラ）伝送方法及び装置を提供し、構成に応じて、ＳＲＢデータの全部又は一部に対して、ＲＬＣ（無線リンク層制御）層ＵＭ（非確認）モードを使用することで、ＡＭ  (確認)モードでＡＲＱフィードバック  (自動重複送信要求  )もＬＢＴ  (リッスンしてからトーク)動作をする必要がなくなり、ＳＲＢの伝送遅延を減少させることができる。
2021514562.tif 000002
【特許請求の範囲】
【請求項１】
構成に応じて、ＳＲＢデータの全部または一部に対して、無線リンク層制御プロトコルＲＬＣ層非確認ＵＭモードを使用することを含む
ことを特徴とするシグナリング無線ベアラＳＲＢ伝送方法。
【請求項２】
構成に応じて、ＳＲＢデータの全部または一部に対して、ＲＬＣ層ＵＭモードが使用されることは、
ＲＲＣ層でＲＬＣ層ＵＭモードを使用するＳＲＢデータを指示し、指示情報をＰＤＣＰ層を介してＲＬＣ層に伝送することを含む
ことを特徴とする請求項１に記載のシグナリング無線ベアラＳＲＢ伝送方法。
【請求項３】
前記ＲＬＣ層ＵＭモードを使用するＳＲＢデータを指示することは、
ＳＲＢデータにＲＬＣ層ＵＭモードを使用する識別情報が含まれること、又は、
層間プリミティブでＲＬＣ層ＵＭモードを使用するＳＲＢデータを指示することを含む
ことを特徴とする請求項２に記載のシグナリング無線ベアラＳＲＢ伝送方法。
【請求項４】
構成に応じて、ＳＲＢデータの全部または一部に対して、ＲＬＣ層ＵＭモードが使用されることは、
ＲＬＣ層でＲＬＣ層ＵＭモードを使用するＳＲＢデータに対してＵＭカプセル化を行うことを含む
ことを特徴とする請求項１に記載のシグナリング無線ベアラＳＲＢ伝送方法。
【請求項５】
この方法は、さらに、
送信側がＲＬＣ層ＵＭモードを使用するＳＲＢデータに対して重複送信を行うこと、又は、
受信側がＲＬＣ層ＵＭモードを使用するＳＲＢデータに対して重複排除処理を行うことを含む
ことを特徴とする請求項１に記載のシグナリング無線ベアラＳＲＢ伝送方法。
【請求項６】
パケットデータコンバージェンスプロトコルＰＤＣＰ層で前記重複送信又は重複排除処理を行い、又は、
ＲＬＣ層で前記重複送信又は重複排除処理を行い、又は、
メディアアクセス制御ＭＡＣ層で前記重複送信又は重複排除処理を行う
ことを特徴とする請求項５に記載のシグナリング無線ベアラＳＲＢ伝送方法。
【請求項７】
前記重複送信の回数、重複送信又は重複排除処理の起動、又は重複送信又は重複排除処理の停止の情報は、基地局により構成される
ことを特徴とする請求項５に記載のシグナリング無線ベアラＳＲＢ伝送方法。
【請求項８】
前記基地局により構成されることは、
前記重複送信の回数、重複送信又は重複排除処理の起動、又は重複送信又は重複排除処理の停止の情報は、基地局によりＲＲＣシグナリング又はＭＡＣシグナリングを介して構成される
ことを特徴とする請求項７に記載のシグナリング無線ベアラＳＲＢ伝送方法。
【請求項９】
処理ユニットを備えるＳＲＢ伝送装置であって、
前記処理ユニットは、構成に応じて、ＳＲＢデータの全部又は一部に対してＲＬＣ層ＵＭモードを使用するように構成される
ことを特徴とするＳＲＢ伝送装置。
【請求項１０】
前記処理ユニットが、指示モジュールを含み、
指示モジュールは、ＲＲＣ層でＲＬＣ層ＵＭモードを使用するＳＲＢデータを指示し、指示情報をＰＤＣＰ層を介してＲＬＣ層に伝送するように構成される
ことを特徴とする請求項９に記載のＳＲＢ伝送装置。
【請求項１１】
前記指示モジュールは、
ＳＲＢデータにＲＬＣ層ＵＭモードを使用する識別情報が含め、又は、
層間プリミティブでＲＬＣ層ＵＭモードを使用するＳＲＢデータを指示するように構成される
ことを特徴とする請求項１０に記載のＳＲＢ伝送装置。
【請求項１２】
前記処理ユニットが、ＲＬＣ層モジュールを含み、
ＲＬＣ層モジュールは、ＲＬＣ層でＲＬＣ層ＵＭモードを使用するＳＲＢデータに対してＵＭカプセル化を行うように構成される
ことを特徴とする請求項９に記載のＳＲＢ伝送装置。
【請求項１３】
前記装置は、さらに、重複送信ユニット又は重複排除ユニットを備え、
前記重複送信ユニットは、送信側でＲＬＣ層ＵＭモードを使用するＳＲＢデータに対して重複送信を行うように構成され、
前記重複排除ユニットは、受信側でＲＬＣ層ＵＭモードを使用するＳＲＢデータに対して重複排除処理を行うように構成される
ことを特徴とする請求項９に記載のＳＲＢ伝送装置。
【請求項１４】
前記重複送信ユニット又は前記重複排除ユニットが、ＰＤＣＰ層で実現され、又は、
前記重複送信ユニット又は前記重複排除ユニットは、ＲＬＣ層で実現され、又は、
前記重複送信ユニット又は前記重複排除ユニットは、ＭＡＣ層で実現される
ことを特徴とする請求項１３に記載のＳＲＢ伝送装置。
【請求項１５】
前記重複送信の回数、重複送信又は重複排除処理の起動、又は重複送信又は重複排除処理の停止の情報は、基地局により構成される
ことを特徴とする請求項１３に記載のＳＲＢ伝送装置。
【請求項１６】
前記重複送信の回数、重複送信又は重複排除処理の起動、又は重複送信又は重複排除処理の停止の情報は、基地局によりＲＲＣシグナリング又はＭＡＣシグナリングを介して構成される
ことを特徴とする請求項１５に記載のＳＲＢ伝送装置。
【請求項１７】
１つまたは複数のプロセッサと、メモリと、このメモリに記憶される１つ以上のプログラムと、を備えるデバイスであって、
前記１つ以上のプロセッサによって前記メモリに記憶された１つ以上のプログラムを実行して、請求項１〜８のいずれか１項に記載の方法の動作を実行する
ことを特徴とするデバイス。
【請求項１８】
コンピュータによって実行されると、請求項１〜８のいずれか１項に記載の方法の動作を実行するためのコンピュータ実行可能命令を含む
ことを特徴とする記憶媒体。
【発明の詳細な説明】
【技術分野】
【０００１】
本発明は、無線通信技術分野に関し、特に、ＳＲＢ伝送方法及び装置に関する。
【背景技術】
【０００２】
ＬＴＥ （ Ｌｏｎｇ Ｔｅｒｍ Ｅｖｏｌｕｔｉｏｎ、ロングタームエボリューション)および５Ｇ技術は、両方ともに、ライセンス帯域およびアンライセンス帯域の展開を考慮する。ここで、ＬＴＥのアンライセンス技術は、Ｐｃｅｌｌ (プライマリセル)がライセンス帯域上で想定することを前提として設計され、具体的には、ＳＲＢ ( Ｓｉｇｎａｌｉｎｇ Ｒａｄｉｏ Ｂｅａｒｅｒ、シグナリング無線ベアラ)がライセンスセル上で伝送するため、ＳＲＢの伝送は、遅延および伝送成功率の保証を受けることができる。
【０００３】
ＮＲ ( Ｎｅｗ Ｒａｄｉｏ、新しいラジオ)アンライセンス技術は、アンライセンス周波数帯域上でＰｃｅｌｌを実現することも考慮する。現在、ＳＲＢはＲＬＣ ( Ｒａｄｉｏ Ｌｉｎｋ Ｃｏｎｔｒｏｌ、無線リンク層制御プロトコル)層でＡＭ (確認)モードに構成され、ＲＬＣ層はＳＲＢとＤＲＢ ( Ｄａｔａ Ｒａｄｉｏ Ｂｅａｒｅｒ、データ無線ベアラ)データを区別できずに両方を一緒に送信し、ＡＭモードではＡＲＱ ( Ａｕｔｏｍａｔｉｃ Ｒｅｐｅａｔ−ｒｅＱｕｅｓｔ )がフィードバックが必要であるため、フィードバックもＬＢＴ( Listen Before Talk、リッスンしてからトーク)を実行する必要があるため、ＬＢＴ動作回数が多すぎるとＳＲＢシグナリング相互の伝送遅延が大きくなる。
【発明の概要】
【０００４】
本発明は、上記の点に鑑みて、ＮＲアンライセンス周波数帯域技術においてＳＲＢの伝送遅延を短縮するＳＲＢ伝送方法及び装置を提供する。
【０００５】
１つの態様として、本発明の実施例は、ＳＲＢ伝送方法を提供し、この方法は、
構成に応じて、ＳＲＢデータの全部又は一部に対して、ＲＬＣ層非確認ＵＭモードを使用することを含む。
【０００６】
本発明の具体的な実施例において、構成に応じて、ＳＲＢデータの全部または一部に対して、ＲＬＣ層ＵＭモードが使用されることは、
ＲＲＣ層でＲＬＣ層ＵＭモードを使用するＳＲＢデータを指示し、指示情報をＰＤＣＰ層を介してＲＬＣ層に伝送することを含む。
【０００７】
本発明の具体的な実施例において、前記ＲＬＣ層ＵＭモードを使用するＳＲＢデータを指示することは、
ＳＲＢデータにＲＬＣ層ＵＭモードを使用する識別情報が含まれること、又は、
層間プリミティブでＲＬＣ層ＵＭモードを使用するＳＲＢデータを指示することを含む。
【０００８】
本発明の具体的な実施例において、構成に応じて、ＳＲＢデータの全部または一部に対して、ＲＬＣ層ＵＭモードが使用されることは、
ＲＬＣ層でＲＬＣ層ＵＭモードを使用するＳＲＢデータに対してＵＭカプセル化を行うことを含む。
【０００９】
本発明の具体的な実施例において、この方法は、さらに、
送信側がＲＬＣ層ＵＭモードを使用するＳＲＢデータに対して重複送信を行うこと、又は、
受信側がＲＬＣ層ＵＭモードを使用するＳＲＢデータに対して重複排除処理を行うことを含む。
【００１０】
本発明の具体的な実施例において、ＰＤＣＰ層で前記重複送信又は重複排除処理を行い、又は、
ＲＬＣ層で前記重複送信又は重複排除処理を行い、又は、
メディアアクセス制御ＭＡＣ層で前記重複送信又は重複排除処理を行う。
【００１１】
本発明の具体的な実施例において、前記重複送信の回数、重複送信又は重複排除処理の起動、又は重複送信又は重複排除処理の停止の情報は、基地局により構成される。
【００１２】
本発明の具体的な実施例において、前記基地局により構成されることは、
前記重複送信の回数、重複送信又は重複排除処理の起動、又は重複送信又は重複排除処理の停止の情報は、基地局によりＲＲＣシグナリング又はＭＡＣシグナリングを介して構成される。
【００１３】
他の態様として、本発明の実施例は、ＳＲＢ伝送装置を提供し、この装置は処理ユニットを含み、
処理ユニットは、構成に応じて、ＳＲＢデータの全部又は一部に対してＲＬＣ層ＵＭモードを使用するように構成される。
【００１４】
本発明の具体的な実施例において、前記処理ユニットが、指示モジュールを含み、
指示モジュールは、ＲＲＣ層でＲＬＣ層ＵＭモードを使用するＳＲＢデータを指示し、指示情報をＰＤＣＰ層を介してＲＬＣ層に伝送するように構成される。
【００１５】
本発明の具体的な実施例において、前記指示モジュールは、
ＳＲＢデータにＲＬＣ層ＵＭモードを使用する識別情報が含まれ、又は、層間プリミティブでＲＬＣ層ＵＭモードを使用するＳＲＢデータを指示するように構成される。
【００１６】
本発明の具体的な実施例において、前記処理ユニットがＲＬＣ層モジュールを含み、
ＲＬＣ層モジュールは、ＲＬＣ層でＲＬＣ層ＵＭモードを使用するＳＲＢデータに対してＵＭカプセル化を行うように構成される。
【００１７】
本発明の具体的な実施例において、この装置が重複送信ユニット又は重複排除ユニットを含み、
前記重複送信ユニットは、送信側でＲＬＣ層ＵＭモードを使用するＳＲＢデータに対して重複送信を行うように構成され、
前記重複排除ユニットは、受信側でＲＬＣ層ＵＭモードを使用するＳＲＢデータに対して重複排除処理を行うように構成される。
【００１８】
本発明の具体的な実施例において、前記重複送信ユニット又は前記重複排除ユニットが、ＰＤＣＰ層で実現され、又は、
前記重複送信ユニット又は前記重複排除ユニットは、ＲＬＣ層で実現され、又は、
前記重複送信ユニット又は前記重複排除ユニットは、ＭＡＣ層で実現される。
【００１９】
本発明の具体的な実施例において、前記重複送信の回数、重複送信又は重複排除処理の起動、又は重複送信又は重複排除処理の停止の情報は、基地局により構成される。
【００２０】
本発明の具体的な実施例において、前記重複送信の回数、重複送信又は重複排除処理の起動、又は重複送信又は重複排除処理の停止の情報は、基地局によりＲＲＣシグナリング又はＭＡＣシグナリングを介して構成される。
【００２１】
本発明がまた、デバイスを提供し、１つ以上のプロセッサと、メモリと、１つ以上のプログラムと、を備え
１つ以上のプログラムがメモリに記憶され、１つ以上のプロセッサによって実行されて上記の方法の動作を実行する。
【００２２】
本発明は、コンピュータプロセッサによって実行されると、上述の方法の動作を実行するためのコンピュータ実行可能命令を含む記憶媒体も提供する。
【００２３】
以上のように、本発明の方法及び装置では、ＳＲＢデータの全部または一部にＲＬＣ層ＵＭモードを使用することで、ＡＭモードでのＡＲＱフィードバックでもＬＢＴ動作を行う必要がなくなり、ＳＲＢの伝送遅延を低減することができる。
【００２４】
この方式をアンライセンス周波数帯域に適用すると、ＮＲシステムのアンライセンス周波数帯域での動作効率が向上し、制御での遅延を短縮することができる。
【００２５】
さらに、本発明は、ＲＬＣ層ＵＭモードを使用するＳＲＢデータを重複送信することによって、シグナリング伝送の信頼性を向上させ、可能性のあるシグナリング損失問題を解決する。
【図面の簡単な説明】
【００２６】
【図１】本発明の実施例一におけるＳＲＢ伝送方法の模式図である。
【図２】本発明の実施例二におけるＳＲＢ伝送方法の模式図である。
【図３】本発明の実施例三におけるＳＲＢ伝送方法の模式図である。
【図４】本発明の実施例におけるＳＲＢ伝送装置の構成図である。
【発明を実施するための形態】
【００２７】
以下、本発明の実施例について図面を参照して詳細に説明するが、本発明はこの実施の形態に限定されるものではない。
【００２８】
本発明の中心的な考えは、構成に応じて、ＳＲＢデータの全部または一部にＲＬＣ層ＵＭ (非確認)モードを使用することによって、ＡＭモードでのＡＲＱフィードバックもＬＢＴ動作を実行する必要を回避し、ＳＲＢの伝送遅延を低減する。
【００２９】
ここで、本発明の実施例に係るＳＲＢデータは、ＳＲＢ０、ＳＲＢ１、ＳＲＢ２を含むことができるが、これに限定されない。ＳＲＢ０は、主に、ＲＲＣメッセージを伝送するために使用され、論理チャネルＣＣＣＨ上で伝送される。ＳＲＢ１は、主にＲＲＣメッセージを伝送するために使用され、論理チャネルＤＣＣＨ上で伝送される。ＳＲＢ２は、主にＮＡＳメッセージを伝送するために用いられ、論理チャネルＤＣＣＨ上で伝送される。
【００３０】
また、本発明の実施例において、上りのＳＲＢデータ、下りのＳＲＢデータにかかわらず、ＳＲＢデータの全部または一部に対してＲＬＣ層ＵＭモードを使用することができる。
【００３１】
本発明の実施例において、全てのキャリアでＳＲＢデータの全部または一部に対してＲＬＣ層ＵＭモードを使用するように構成されることもでき、又は、特定のキャリアでＳＲＢデータの全部または一部に対してＲＬＣ層ＵＭモードを使用するように構成されることもできる。ここで、特定のキャリアは、アンライセンスキャリアを含み得るが、これに限定されない。
【００３２】
なお、本発明の実施例において、同一システムが異なるＳＲＢデータに対してＲＬＣ層ＵＭモードとＡＭモードを同時に使用してもよい。例えば、異なるモードを使用するＳＲＢデータを搬送することができ、異なるモードを使用するＳＲＢデータを搬送するために同じキャリアを使用することもできるが、ＲＬＣ層ＵＭモードを使用するＳＲＢデータについて指示する。
【００３３】
構成に応じて、ＳＲＢデータの全部または一部に対してＲＬＣ層ＵＭモードを使用されるとき、ＲＬＣ層ＵＭモードを使用する必要があるＳＲＢデータが何であるかを示すことができ、それによって、ＲＬＣ層は、ＳＲＢデータにＵＭモードを使用することができる。具体的には、以下の２つの方式を用いることができるが、これらに限定されない。
【００３４】
第１の方式として、ＳＲＢデータにおいてＲＬＣ層ＵＭモードを使用することを識別する。この方式では、伝送されたＳＲＢデータに識別情報が含まれる必要があり、例えば、ＳＲＢデータのヘッダに識別情報が含まれ、ＳＲＢデータがＲＬＣ層ＵＭモードを使用していることを識別することができる。
【００３５】
第２の方式として、層間プリミティブでＲＬＣ層ＵＭモードを使用するＳＲＢデータを指示する。この方式は、ＳＲＢデータ自体を変更することなく、ＳＲＢデータのみが各プロトコル層間で伝達される場合には、今回伝達された層間プリミティブを用いて、そのＳＲＢデータにＲＬＣ層ＵＭモードを使用することを指示する。
【００３６】
ＳＲＢデータの全部または一部に対してＲＬＣ層ＵＭモードを使用する場合、シグナリング伝送の信頼性を向上させ、可能性のあるシグナリング損失問題を解決するために、送信側でＲＬＣ層ＵＭモードを使用するＳＲＢデータを重複送信するメカニズムを取ることができる。すなわち、同一のＳＲＢデータをＮ回( Ｎは予め設定された正の整数)送信することができる。したがって、ＲＬＣ層ＵＭモードを使用するＳＲＢデータは、受信側で重複排除処理を行う。
【００３７】
ここで、上述した重複送信は、送信側のＰＤＣＰ ( Ｐａｃｋｅｔ Ｄａｔａ Ｃｏｎｖｅｒｇｅｎｃｅ Ｐｒｏｔｏｃｏｌ、パケットデータコンバージェンスプロトコル)層で実行されてもよく、したがって、重複排除処理は、受信側のＰＤＣＰ層で実行されてもよい。あるいは、送信側のＲＬＣ層で上述した重複送信を行うことができ、受信側のＲＬＣ層で重複排除処理を行うことができる。あるいは、上記の重複送信は、送信側のＭＡＣ ( Ｍｅｄｉａ Ａｃｃｅｓｓ Ｃｏｎｔｒｏｌ、メディアアクセス制御)層で実行されてもよく、従って、重複排除処理は、受信側のＭＡＣ層で実行されてもよい。どのプロトコル層で実行するかは、具体的には予め設定しておくことができる。
【００３８】
以下にいくつかの実施例を挙げる。
【００３９】
実施例一、
図１に示すように、送信側は、ＲＲＣ層において、ＳＲＢデータの生成を指示し、以上の方式のいずれかを使用し、即ち、ＳＲＢデータに識別情報が含まれる方式を使用するか、又は、層間プリミティブの方式を使用して、このＳＲＢデータにＲＬＣ層ＵＭモードを使用することを示す。前者を用いると、ＳＲＢデータのパケットヘッダに、そのＳＲＢデータがＲＬＣ層ＵＭモードを使用していることを示す識別情報が含まれることができる。ＰＤＣＰ層は、ＳＲＢデータのヘッダに含まれる識別情報に基づいて、ＳＲＢデータがＲＬＣ層ＵＭモードを使用する必要があると判断する。本実施例では、ＰＤＣＨ層で重複送信メカニズムを実行するように予め設定されており、ＳＲＢデータはＰＤＣＰ層でＮ回重複送信され、例えば、Ｎが２である場合、ＳＲＢデータが形成されたＰＤＵ ( Ｐｒｏｔｏｃｏｌ Ｄａｔａ Ｕｎｉｔ、プロトコルデータユニット)をＲＬＣ層に２回伝送する。ＲＬＣ層は、受信したＰＤＵをＵＭカプセル化する。したがって、受信側のＰＤＣＰ層でＳＲＢデータの重複排除処理を行った後、すなわち、ＲＬＣ層でＰＤＣＰ層にＲＬＣ ( ＳＲＢデータを含む)データを渡した後、ＰＤＣＰ層でデータ重複排除処理を行う。
【００４０】
実施例二、
図２に示すように、送信側は、ＲＲＣ層において、ＳＲＢデータの生成を指示し、以上の方式のどちらを使用してもよく、即ち、ＳＲＢデータに識別情報が含まれる方式、又は、ＳＲＢデータにＲＬＣ層ＵＭモードを使用することを層間プリミティブで示す。この指示は、ＰＤＣＰ層を介してＲＬＣ層に渡され、例えば、各層のカプセル化のためのパケットヘッダ内で識別情報が含まれることによって示される。本実施例では、ＲＬＣ層で重複送信メカニズムを実行するように予め構成されていれば、ＲＬＣ層で受信されたＰＤＵ (すなわち、ＳＲＢデータで形成されたＰＤＵ )をＵＭカプセル化した後、Ｎ回重複送信する。Ｎが２である場合、ＳＲＢデータで形成されるＰＤＵをＵＭカプセル化して２回送信するものとする。これにより、ＳＲＢデータは、受信側のＲＬＣ層で重複排除処理される。
【００４１】
実施例三、
図３に示すように、送信側は、ＲＲＣ層において、ＳＲＢデータの生成を指示し、以上の方式のどちらを使用してもよく、即ち、ＳＲＢデータに識別情報が含まれる方式、又は、ＳＲＢデータにＲＬＣ層ＵＭモードを使用することを層間プリミティブで示す。この指示は、ＰＤＣＰ層、ＲＬＣ層を介してＭＡＣ層に渡され、例えば、各層のカプセル化されたパケットヘッダ内で識別情報が含まれることによって示される。また、ＳＲＢデータで形成されるＰＤＵは、ＲＬＣ層でＵＭカプセル化される。本実施例では、ＭＡＣ層において重複送信メカニズムを予め構成し、即ち、ＰＤＣＰ層及びＲＬＣ層のいずれもが重複送信をサポートしない場合に、ＭＡＣにおいて重複送信が可能であり、指示に従ってＭＡＣ層において受信されたＳＲＢデータをＮ回送信する。Ｎが２である場合、ＭＡＣ層で２回繰り返して送信する。したがって、受信側のＭＡＣ層では、ＳＲＢデータが重複して受信された場合、ＳＲＢデータの重複排除処理が行われる。
【００４２】
なお、上記各実施例において、重複送信を行う度にＬＢＴメカニズムを使用してもよい。
【００４３】
なお、上記実施例では、基地局が重複送信回数Ｎを設定するようにしたが、基地局が再信や重複排除処理の起動を設定するようにしてもよいし、基地局が重複送信信や重複排除処理の停止を設定するようにしてもよい。具体的には、基地局は、ＲＲＣシグナリング又はＭＡＣシグナリングを用いて上記のコンテンツを構成することができるが、これらに限定されない。
【００４４】
以上が本発明の提供方法の説明であるが、以下に本発明の提供装置を実施例に基づいて詳細に説明する。
【００４５】
図４は、本発明の実施例によるＳＲＢ伝送装置の構成を示す図であり、図４に示すように、処理ユニット１０を含み、重複送信ユニット２０又は重複排除ユニット３０をさらに含むことができる。各構成要素の主な機能は以下の通りである。
【００４６】
処理ユニット１０は、構成に応じて、ＳＲＢデータのすべてまたは一部にＲＬＣ層ＵＭモードを使用するように構成される。ここで、ＳＲＢデータは、ＳＲＢ０、ＳＲＢ１、およびＳＲＢ２を含むことができるが、これらに限定されない。また、上りのＳＲＢデータ、下りのＳＲＢデータのいずれであっても、ＳＲＢデータの全部または一部に対してＲＬＣ層ＵＭモードを使用することができる。
【００４７】
全てのキャリアにＳＲＢデータの全部または一部にＲＬＣ層ＵＭモードを使用するように予め構成してもよいし、特定のキャリアにＳＲＢデータの全部または一部にＲＬＣ層ＵＭモードを使用するように予め構成してもよい。ここで、特定のキャリアは、アンライセンスキャリアを含み得るが、これに限定されない。
【００４８】
具体的に、処理ユニット１０が指示モジュール１１を含み、ＲＬＣ層ＵＭモードを使用するＳＲＢデータを指示し、以下の２つの方式を含むが、これに限定されない。
【００４９】
第１の方式として、ＳＲＢデータにおいてＲＬＣ層ＵＭモードを使用することを識別する。この方式では、伝送されたＳＲＢデータに識別情報が含まれる必要があり、例えば、ＳＲＢデータのヘッダに識別情報が含まれ、ＳＲＢデータがＲＬＣ層ＵＭモードを使用していることを識別することができる。
【００５０】
第２の方式として、層間プリミティブでＲＬＣ層ＵＭモードを使用するＳＲＢデータを指示する。この方式は、ＳＲＢデータ自体を変更することなく、ＳＲＢデータのみが各プロトコル層間で伝達される場合には、今回伝達された層間プリミティブを用いて、そのＳＲＢデータにＲＬＣ層ＵＭモードを使用することを指示する。
【００５１】
上記指示モジュール１１は、ＲＲＣ層、ＰＤＣＰ層で実現されてもよい。具体的には、生成されたＳＲＢデータは、ＲＲＣ層で示され、示された方法は、上記２つの方法のうちの１つを使用し、その後、この指示がＰＤＣＰ層を経由してＲＬＣ層に伝達され得る。上記第１の方式を使用すると、ＲＲＣ層は、ＳＲＢデータをプロトコルカプセル化する際に、データヘッダにＳＲＢデータがＲＬＣ層ＵＭモードを使用する識別情報がカプセル化され、ＰＤＣＰ層では、その識別情報に基づいて、同じくプロトコルカプセル化を行って次の層に渡す際にデータヘッダにＳＲＢデータがＲＬＣ層ＵＭモードを使用することがカプセル化される。前記第２の方式を使用すると、ＲＲＣ層は、ＰＤＣＰ層にデータを伝達する際に、今回伝達する層間プリミティブを用いて、該ＳＲＢデータにＲＬＣ層ＵＭモードを使用するように指示し、同様にＰＤＣＰ層がＲＬＣ層にデータを渡す際には、今回渡す層間プリミティブを用いて、このＳＲＢデータにＲＬＣ層ＵＭモードを使用するように指示する。
【００５２】
また、処理ユニット１０が、さらに、ＲＬＣ層モジュール１２を含み、ＲＬＣ層でＲＬＣ層ＵＭモードを使用するＳＲＢデータに対してＵＭカプセル化を行うように構成される。
【００５３】
又は、ＳＲＢデータの全部又は一部に対してＲＬＣ層ＵＭモードを使用する場合、シグナリング伝送の信頼性を高め、可能なシグナリング損失の問題を解決するために、該装置が送信側に位置している場合には、重複送信ユニット２０をさらに含むことができ、当該装置が受信側に位置している場合には、重複排除ユニット(図示せず)をさらに含むことができる。
【００５４】
重複送信ユニット２０は、送信側がＲＬＣ層ＵＭモードを使用するＳＲＢデータに対して重複送信を行うように構成される。同一のＳＲＢデータをＮ回送信し、Ｎは予め設定された正の整数である。
【００５５】
重複排除ユニットは、受信側でＲＬＣ層ＵＭモードを使用するＳＲＢデータに対して重複排除処理を行うように構成される。
【００５６】
ここで、上記の重複送信ユニット２０と重複排除ユニットがＰＤＣＰ層で実現され、又は、重複送信ユニット２０と重複排除ユニットがＲＬＣ層で実現され、又は、重複送信ユニット２０と重複排除ユニットがＭＡＣ層で実現される。
【００５７】
上記の重複送信の回数、重複送信又は重複排除処理の起動、又は重複送信又は重複排除処理の停止の情報は、基地局により構成されても良く、即ち、上記の重複送信ユニット２０と重複排除ユニットとは、基地局の構成に基づいて、重複送信及び重複排除処理を開始し、重複送信と重複排除処理を停止し、重複送信の回数を決定することができる。
【００５８】
具体的に、上記の重複送信の回数、重複送信又は重複排除処理の起動、又は重複送信又は重複排除処理の停止の情報は、基地局によりＲＲＣシグナリング又はＭＡＣシグナリングを介して構成される。
【００５９】
本発明の実施例によって提供される上記の方法および装置は、１つまたは複数の集積回路、例えばコーデックチップの形態で実現されてもよく、また、コンピュータ可読記憶媒体に記憶され得るプログラムによって関連ハードウェアを命令し達成されてもよい。上記実施例における各手ユニットは、ハードウェアとして実現されてもよいし、ソフトウェア機能モジュールとして実現されてもよい。本発明は、ハードウェアとソフトウェアの組み合わせの特定の形態に限定されない。
【００６０】
例えば、装置によって実施されてもよく、この装置は、
１つまたは複数のプロセッサと、
メモリと
１つ以上のプログラムとを備え。
【００６１】
前記１つ以上のプログラムが前記メモリに記憶され、前記１つ以上のプロセッサによって実行されて、以下の動作を実行する。
【００６２】
構成に応じて、ＳＲＢデータの全部または一部に対してＲＬＣ層ＵＭモードを使用する
また、時間、技術の発展とともに媒体の意義は益々広がり、プログラムの伝播経路は有形媒体に限定されるものではなく、ネットワークから直接ダウンロードすることも可能である。１つ以上のコンピュータ可読媒体の任意の組み合わせが使用され得る。コンピュータ可読媒体は、コンピュータ可読信号媒体又はコンピュータ可読記憶媒体であり得る。コンピュータ可読記憶媒体は、例えば、これらに限られるわけではないが、電気、磁気、光、電磁、赤外線、もしくは半導体のシステム、装置、もしくはデバイス、またはそれらの任意の組合せであり得る。コンピュータ可読記憶媒体のより具体的な例(非網羅的なリスト)は、１つ以上のワイヤを有する電気接続、ポータブルコンピュータディスケット、ハードディスク、ランダムアクセスメモリ( RＡＭ )、リードオンリーメモリ( ＲＯＭ)、消去可能プログラマブルリードオンリーメモリ( ＥＰＲＯＭまたはフラッシュメモリ)、光ファイバ、ポータブルコンパクトディスクリードオンリーメモリ( ＣＤ−ＲＯＭ )、光学記憶デバイス、磁気記憶デバイス、または上記の任意の適切な組み合わせを含む。本ファイルにおいて、コンピュータ可読記憶媒体は、命令実行システム、装置、又はデバイスによって又はそれらと関連して使用され得るプログラムを含み、又は記憶する任意の有形媒体であり得る。
【００６３】
コンピュータ可読信号媒体は、ベースバンドにおいて、または、搬送波の一部として、コンピュータ可読プログラムコードを担持するデータ信号を含み得る。そのような伝播データ信号は、電磁信号、光信号、又は上記の任意の適切な組み合わせを含むがこれらに限定されない、様々な形態をとり得る。コンピュータ可読信号媒体はまた、命令実行システム、装置、またはデバイスによって使用するための、またはそれらとの組み合わせにおいて使用するためのプログラムを送信、伝播、または伝送し得る、コンピュータ可読記憶媒体以外の任意のコンピュータ可読媒体であってもよい。
【００６４】
以上の説明は、本発明の好ましい実施例に過ぎず、本発明を限定するものではなく、本発明の精神と範囲内で行われるあらゆる修正、均等な置換、改良などは、本発明の保護範囲に含まれるべきである。
【図１】
2021514562.tif 000003
【図２】
2021514562.tif 000004
【図３】
2021514562.tif 000005
【図４】
2021514562.tif 000006
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
構成に応じて、ＳＲＢデータの全部または一部に対して、無線リンク層制御プロトコルＲＬＣ層非確認ＵＭモードを使用することを含む
ことを特徴とするシグナリング無線ベアラＳＲＢ伝送方法。
【請求項２】
構成に応じて、ＳＲＢデータの全部または一部に対して、ＲＬＣ層ＵＭモードが使用されることは、
ＲＲＣ層でＲＬＣ層ＵＭモードを使用するＳＲＢデータを指示し、指示情報をＰＤＣＰ層を介してＲＬＣ層に伝送することを含む
ことを特徴とする請求項１に記載のシグナリング無線ベアラＳＲＢ伝送方法。
【請求項３】
前記ＲＬＣ層ＵＭモードを使用するＳＲＢデータを指示することは、
ＳＲＢデータにＲＬＣ層ＵＭモードを使用する識別情報が含まれること、又は、
層間プリミティブでＲＬＣ層ＵＭモードを使用するＳＲＢデータを指示することを含む
ことを特徴とする請求項２に記載のシグナリング無線ベアラＳＲＢ伝送方法。
【請求項４】
構成に応じて、ＳＲＢデータの全部または一部に対して、ＲＬＣ層ＵＭモードが使用されることは、
ＲＬＣ層でＲＬＣ層ＵＭモードを使用するＳＲＢデータに対してＵＭカプセル化を行うことを含む
ことを特徴とする請求項１に記載のシグナリング無線ベアラＳＲＢ伝送方法。
【請求項５】
この方法は、さらに、
送信側がＲＬＣ層ＵＭモードを使用するＳＲＢデータに対して重複送信を行うこと、又は、
受信側がＲＬＣ層ＵＭモードを使用するＳＲＢデータに対して重複排除処理を行うことを含む
ことを特徴とする請求項１に記載のシグナリング無線ベアラＳＲＢ伝送方法。
【請求項６】
パケットデータコンバージェンスプロトコルＰＤＣＰ層で前記重複送信又は重複排除処理を行い、又は、
ＲＬＣ層で前記重複送信又は重複排除処理を行い、又は、
メディアアクセス制御ＭＡＣ層で前記重複送信又は重複排除処理を行う
ことを特徴とする請求項５に記載のシグナリング無線ベアラＳＲＢ伝送方法。
【請求項７】
前記重複送信の回数、重複送信又は重複排除処理の起動、又は重複送信又は重複排除処理の停止の情報は、基地局により構成される
ことを特徴とする請求項５に記載のシグナリング無線ベアラＳＲＢ伝送方法。
【請求項８】
処理ユニットを備えるＳＲＢ伝送装置であって、
前記処理ユニットは、構成に応じて、ＳＲＢデータの全部又は一部に対してＲＬＣ層ＵＭモードを使用するように構成される
ことを特徴とするＳＲＢ伝送装置。
【請求項９】
前記処理ユニットが、指示モジュールを含み、
指示モジュールは、ＲＲＣ層でＲＬＣ層ＵＭモードを使用するＳＲＢデータを指示し、指示情報をＰＤＣＰ層を介してＲＬＣ層に伝送するように構成される
ことを特徴とする請求項８に記載のＳＲＢ伝送装置。
【請求項１０】
前記指示モジュールは、
ＳＲＢデータにＲＬＣ層ＵＭモードを使用する識別情報が含め、又は、
層間プリミティブでＲＬＣ層ＵＭモードを使用するＳＲＢデータを指示するように構成される
ことを特徴とする請求項９に記載のＳＲＢ伝送装置。
【請求項１１】
前記処理ユニットが、ＲＬＣ層モジュールを含み、
ＲＬＣ層モジュールは、ＲＬＣ層でＲＬＣ層ＵＭモードを使用するＳＲＢデータに対してＵＭカプセル化を行うように構成される
ことを特徴とする請求項８に記載のＳＲＢ伝送装置。
【請求項１２】
前記装置は、さらに、重複送信ユニット又は重複排除ユニットを備え、
前記重複送信ユニットは、送信側でＲＬＣ層ＵＭモードを使用するＳＲＢデータに対して重複送信を行うように構成され、
前記重複排除ユニットは、受信側でＲＬＣ層ＵＭモードを使用するＳＲＢデータに対して重複排除処理を行うように構成される
ことを特徴とする請求項８に記載のＳＲＢ伝送装置。
【請求項１３】
前記重複送信ユニット又は前記重複排除ユニットが、ＰＤＣＰ層で実現され、又は、
前記重複送信ユニット又は前記重複排除ユニットは、ＲＬＣ層で実現され、又は、
前記重複送信ユニット又は前記重複排除ユニットは、ＭＡＣ層で実現される
ことを特徴とする請求項１２に記載のＳＲＢ伝送装置。
【請求項１４】
前記重複送信の回数、重複送信又は重複排除処理の起動、又は重複送信又は重複排除処理の停止の情報は、基地局により構成される
ことを特徴とする請求項１２に記載のＳＲＢ伝送装置。
【請求項１５】
コンピュータによって実行されると、請求項１〜７のいずれか１項に記載の方法の動作を実行するためのコンピュータ実行可能命令を含む
ことを特徴とする記憶媒体。
【国際調査報告】
2021514562.tif 000007
2021514562.tif 000008
2021514562.tif 000009
2021514562.tif 000010
2021514562.tif 000011